(57)【要約】【課題】本発明は、送信されるデータ量を抑え、周波数帯域の占有時間を短縮しつつ、携帯端末と情報出力装置との間の通信を行うことができる情報出力システムを提供することを目的とする。【解決手段】本発明は、第１表示画面（７）を有する携帯端末２と、携帯端末と通信可能な情報出力装置（２０）とを備える。携帯端末は、指定情報が新たに取得された場合に第１表示画面における指定情報に関連する部分画像を抽出する抽出部（８）と、部分画像に関するデータを情報出力装置に送信する送信部（４および３）とを備える。情報出力装置は、受信した部分画像に関するデータに基づいて、部分画像に関する情報を出力させる出力部（２３）を備える。【選択図】図８
2014230054.tif 000002
【特許請求の範囲】
【請求項１】
画像を表示可能な第１表示画面を有する携帯端末と、前記携帯端末と通信可能な情報出力装置とを備える情報出力システムにおいて、
前記携帯端末が、
あらかじめ指定された指定情報が新たに取得された場合、前記第１表示画面における前記指定情報の新たな取得に関連する部分画像を抽出する抽出部と、
前記部分画像に関するデータを、前記情報出力装置に送信する送信部とを備え、
前記情報出力装置が、
受信した前記部分画像に関するデータに基づいて、前記部分画像に関する情報を出力させる出力部を備えることを特徴とする、
情報出力システム。
【請求項２】
前記出力部が、前記部分画像を表示させることを特徴とする、
請求項１に記載の情報出力システム。
【請求項３】
前記出力部が、伸張または収縮させた前記部分画像を表示させることを特徴とする、
請求項１または２に記載の情報出力システム。
【請求項４】
前記情報出力装置が、前記携帯端末とは独立した独立画像を表示可能な装置であって、
前記出力部が、前記部分画像を、前記独立画像に重畳させて表示させることを特徴とする、
請求項１〜３のいずれかに記載の情報出力システム。
【請求項５】
前記出力部が、前記部分画像に対応させてあらかじめ用意された音声情報を出力させることを特徴とする、
請求項１に記載の情報出力システム。
【請求項６】
前記情報出力装置が、前記携帯端末とは独立した独立音声を出力可能な装置であって、
前記出力部が、前記音声情報を、前記独立音声に重畳させて出力させることを特徴とする、
請求項５に記載の情報出力システム。
【請求項７】
前記携帯端末が、内蔵バッテリをさらに備え、
前記情報出力システムが、前記内蔵バッテリを充電する充電器をさらに備え、
前記充電器を用いて前記内蔵バッテリが充電されている場合、前記送信部が、前記第１表示画面における画像全体に関するデータを、前記情報出力装置に送信し、
前記充電器を用いて前記内蔵バッテリが充電されている場合、前記出力部が、受信した前記第１表示画面における画像全体に関するデータに基づいて、前記画像全体に関する情報を出力させることを特徴とする、
請求項１〜６のいずれかに記載の情報出力システム。
【請求項８】
前記送信部が、前記部分画像に関するデータを圧縮して、前記情報出力装置に送信することを特徴とする、
請求項１〜７のいずれかに記載の情報出力システム。
【請求項９】
前記携帯端末の前記第１表示画面がタッチパネルであり、
前記抽出部が、前記タッチパネル上で指定された部分を前記部分画像として抽出することを特徴とする、
請求項１〜８のいずれかに記載の情報出力システム。
【請求項１０】
前記情報出力装置が、画像を表示可能な第２表示画面を有し、
前記出力部が、前記第２表示画面における任意の箇所に、前記部分画像を表示させることを特徴とする、
請求項２〜４、７〜９のいずれかに記載の情報出力システム。
【請求項１１】
前記情報出力装置の前記第２表示画面がタッチパネルであり、
前記出力部が、前記タッチパネル上で指定された箇所に、前記部分画像を表示させることを特徴とする、
請求項１０に記載の情報出力システム。
【請求項１２】
前記情報出力装置が、前記第２表示画面における前記部分画像の表示箇所に関する指定を受け付ける受付部をさらに備え、
前記出力部が、前記受付部において受け付けた前記表示箇所に関する指定に基づいて、前記部分画像を表示させることを特徴とする、
請求項１０または１１に記載の情報出力システム。
【請求項１３】
画像を表示可能な第１表示画面を有する携帯端末と、前記携帯端末と通信可能な情報出力装置とを備える情報出力システムに用いられる前記携帯端末において、
あらかじめ指定された指定情報が新たに取得された場合、前記第１表示画面における前記指定情報の新たな取得に関連する部分画像を抽出する抽出部と、
前記部分画像に関するデータを、前記情報出力装置に送信する送信部とを備えることを特徴とする、
携帯端末。
【請求項１４】
画像を表示可能な第１表示画面を有する携帯端末と、前記携帯端末と通信可能な情報出力装置とを備える情報出力システムに用いられる前記情報出力装置において、
前記携帯端末において、あらかじめ指定された指定情報が新たに取得された場合に、前記第１表示画面における前記指定情報の新たな取得に関連する部分画像が抽出され、さらに前記情報出力装置に送信され、
前記情報出力装置が、前記携帯端末から送信された前記部分画像に関するデータに基づいて、前記部分画像に関する情報を出力させる出力部を備えることを特徴とする、
情報出力装置。
【発明の詳細な説明】
【技術分野】
【０００１】
本発明は情報出力システム、携帯端末、および情報出力装置に関し、特に、携帯端末の表示画面に表示される画像等を、情報出力装置において出力する情報出力システムに関するものである。
【背景技術】
【０００２】
従来の情報出力システムでは、外部の入力装置において入力された画像情報およびイベント情報が携帯端末（携帯電話機等）に送信され、携帯端末において当該情報に基づくアプリケーション（以下、アプリとも称する）の実行がなされるものがあった。このような情報出力システムにおいては、携帯端末においてアプリケーションが実行される際に表示される表示画像を、外部の入力装置において表示することが可能であった（例えば特許文献１参照）。
【先行技術文献】
【特許文献】
【０００３】
【特許文献１】特開２０１１−１７６５９１号公報（第１４頁、図１）
【発明の概要】
【発明が解決しようとする課題】
【０００４】
従来の情報出力システムでは、外部の入力装置において携帯端末のアプリケーションの実行、および、その実行時の動作画像の確認を行う場合があるが、その際には、携帯端末のアプリケーションの表示画像に関するデータをすべて入力装置に送信していた。よって、例えば携帯電話機における電話の着信またはメールの受信等の動作状況だけが知りたい場合にも、携帯電話機側の通話機能に関するアプリ画面、または、メール受信画面等の情報すべてを、入力装置に送信しなければならなかった。
【０００５】
これらの画像データを送信すると、大量のデータを携帯端末から入力装置に送ることになるため、携帯端末と入力装置との間で一般的に使われる無線伝送（例えば２．４ＧＨｚ帯の無線ＬＡＮ）方式等では、使用する電波の周波数帯域を長時間占有してしまう。よって、他の無線通信機器の通信速度を著しく低下させてしまうという問題があった。
【０００６】
本発明は、上記のような問題を解決するためになされたものであり、送信されるデータ量を抑え、周波数帯域の占有時間を短縮しつつ、携帯端末と情報出力装置との間の通信を行うことができる情報出力システムを提供することを目的とする。
【課題を解決するための手段】
【０００７】
本発明の一態様に関する情報出力システムは、画像を表示可能な第１表示画面を有する携帯端末と、前記携帯端末と通信可能な情報出力装置とを備える情報出力システムにおいて、前記携帯端末が、あらかじめ指定された指定情報が新たに取得された場合、前記第１表示画面における前記指定情報の新たな取得に関連する部分画像を抽出する抽出部と、前記部分画像に関するデータを、前記情報出力装置に送信する送信部とを備え、前記情報出力装置が、受信した前記部分画像に関するデータに基づいて、前記部分画像に関する情報を出力させる出力部を備えることを特徴とする。
【０００８】
本発明の一態様に関する携帯端末は、画像を表示可能な第１表示画面を有する携帯端末と、前記携帯端末と通信可能な情報出力装置とを備える情報出力システムに用いられる前記携帯端末において、あらかじめ指定された指定情報が新たに取得された場合、前記第１表示画面における前記指定情報の新たな取得に関連する部分画像を抽出する抽出部と、前記部分画像に関するデータを、前記情報出力装置に送信する送信部とを備えることを特徴とする。
【０００９】
本発明の一態様に関する情報出力装置は、画像を表示可能な第１表示画面を有する携帯端末と、前記携帯端末と通信可能な情報出力装置とを備える情報出力システムに用いられる前記情報出力装置において、前記携帯端末において、あらかじめ指定された指定情報が新たに取得された場合に、前記第１表示画面における前記指定情報の新たな取得に関連する部分画像が抽出され、さらに前記情報出力装置に送信され、前記情報出力装置が、前記携帯端末から送信された前記部分画像に関するデータに基づいて、前記部分画像に関する情報を出力させる出力部を備えることを特徴とする。
【発明の効果】
【００１０】
本発明の上記態様によれば、携帯端末から情報出力装置へ送信されるデータ量を抑え、周波数帯域の占有時間を短縮しつつ、携帯端末と情報出力装置との間の通信を行うことができる。
【図面の簡単な説明】
【００１１】
【図１】実施形態に関する情報出力システムを示すブロック図である。
【図２】第１実施形態における、携帯端末の縦表示されるアイコン情報およびインフォメーション情報を説明する図である。
【図３】第１実施形態における、携帯端末の横表示されるアイコン情報およびインフォメーション情報を説明する図である。
【図４】第１実施形態における、携帯端末のインフォメーション情報の詳細情報を説明する図である。
【図５】第１実施形態における、携帯端末のインフォメーション情報の表示例を示す図である。
【図６】第１実施形態における、携帯端末側インフォメーション情報の送信処理を説明するフローチャートである。
【図７】第１実施形態における、モニター側のインフォメーション情報の表示処理を説明するフローチャートである。
【図８】第１実施形態における、パソコンの画像中に、モニターが携帯端末からのインフォメーション情報を受信した場合の、液晶パネルに表示される画像の一例を示す図である。
【図９】第１実施形態における、パソコンの画像中に、携帯端末の電話着信が発生した場合の、液晶パネルに表示される画像の一例を示す図である。
【図１０】第１実施形態における、パソコンの画像中に表示されるインフォメーション情報の個別の表示例である。
【図１１】第１実施形態における、携帯端末が個別のイベント情報を受信した場合の携帯端末側の処理過程を示すフローチャートである。
【図１２】第１実施形態における、個別のイベント情報の着信時におけるモニター側の処理過程を示すフローチャートである。
【図１３】第２実施形態における、モニターにおいて携帯端末側からのＩＤ情報において行われる処理のフローチャートである。
【図１４】第３実施形態における情報出力システムにおいて、携帯端末および充電器の動作の詳細を示すブロック図である。
【図１５】第３実施形態における、携帯端末と充電器とが充電端子において電気的に接続される場合の充電方法を示す図である。
【発明を実施するための形態】
【００１２】
以下、添付の図面を参照しながら実施形態について説明する。
【００１３】
＜第１実施形態＞
＜構成＞
図１は、第１実施形態における情報出力システムを示すものである。図１に示されるように、情報出力システム１は、携帯端末２と、情報出力装置としてのモニター２０とを備える。また、情報出力システム１は、外部のパソコン３４およびＨＤＤ（Ｈａｒｄ  ｄｉｓｋ  ｄｒｉｖｅ）レコーダ３５と通信可能である。
【００１４】
携帯端末２は、アンテナ３と、無線送受信回路４と、ＣＰＵ（Ｃｅｎｔｒａｌ  Ｐｒｏｃｅｓｓｉｎｇ  Ｕｎｉｔ）５と、メモリ６と、液晶パネル７（第１表示画面）と、トリミング処理回路８と、画像圧縮処理回路９と、メモリーカードコネクタ１０と、メモリーカード１１と、ＵＳＢ（Ｕｎｉｖｅｒｓａｌ  Ｓｅｒｉａｌ  Ｂｕｓ）コネクタ１２と、ＵＳＢ機器１３と、スピーカー１４と、マイク１５と、タッチパネル１８と、充電器２００と、内蔵バッテリ２０１と、充電回路２０２とを備える。
【００１５】
モニター２０は、アンテナ２１と、無線受信回路２２と、ＣＰＵ２３と、メモリ２４と、画像伸張処理回路２５と、音声重畳回路２６と、音声再生回路２７と、スピーカーＬ２８と、画像重畳回路２９と、スケーラ回路３０と、液晶パネル３１と、映像入力端子３２と、音声入力端子３３と、押しボタンスイッチ３６と、ＩＮＰＵＴスイッチ３７と、スピーカーＲ４０とを備える。またモニター２０は、携帯端末２と通信可能である。
【００１６】
＜動作＞
次に、図１における携帯端末２ならびにモニター２０の詳細動作を説明する。
【００１７】
携帯端末２にはアンテナ３が具備される。このアンテナ３は、一般的に携帯電話メーカーの基地局（図示せず）と携帯端末２との間を無線信号で接続するために用いられ、音声通話の着発信ならびにインターネット等のデータ通信におけるデータ送受信を可能とする。音声通話の信号やデータ通信におけるデータは、無線伝送するために搬送波に対する変調処理が施され、基地局から電波として送信される。
【００１８】
基地局から送信された無線信号（電波）は、アンテナ３において電波から電気信号Ｓ１に復調され、無線送受信回路４に入力される。無線送受信回路４は、受信した電気信号Ｓ１をデータ信号に変換した後、データ信号Ｓ３としてＣＰＵ５に出力する。それとともに無線送受信回路４は、ＣＰＵ５から出力されたデータ信号Ｓ２を電波に変調し、電波信号Ｓ１としてアンテナ３に出力する。
【００１９】
ＣＰＵ５は、無線送受信回路４から出力されたデータ信号Ｓ３が音声通話信号であれば、電話通話時における相手の音声Ｓ４をスピーカー１４に出力する。
【００２０】
マイク１５は、携帯端末２において通話を行う使用者（図示せず）の音声信号を電気信号Ｓ５に変換して、ＣＰＵ５に出力する。通話においては、使用者の音声はデータ信号Ｓ２としてＣＰＵ５から無線送受信回路４に入力され、無線送受信回路４において音声信号から電波信号Ｓ１に変調される。そして電波信号Ｓ１は、アンテナ３を介して基地局に送信される。
【００２１】
無線送受信回路４から出力されたデータ信号Ｓ３が音声通話信号以外のデータ信号である場合（たとえば、インターネットのホームページを視聴する際の、ホームページの画像情報等）、ＣＰＵ５は、そのデータ信号を映像信号Ｓ１１に変換して液晶パネル７に画像を表示する。
【００２２】
ＣＰＵ５には、携帯端末２を動作させる上で重要な各種プログラムを動作させるために必要なオペレーションシステム（以後ＯＳと称す）が実装されている。ＯＳを動作させるためには、一定容量のメモリ６が必要となる。ＣＰＵ５は、ＯＳ動作のためにメモリ６との間でデータのやり取りを行い、ＯＳ上で動作するアプリケーションを実行する環境を構築している。
【００２３】
メモリーカード１１は、たとえばＳＤカードまたはＭＭＣ（Ｍｕｌｔｉ  Ｍｅｄｉａ  Ｃａｒｄ）等の不揮発性メモリで構成されている。そしてメモリーカード１１は、メモリーカードコネクタ１０に接続される。
【００２４】
メモリーカードコネクタ１０は、メモリーカード１１とＣＰＵ５とを電気的に接続するためのコネクタである。ＣＰＵ５は、メモリーカード１１に記録されている動画、静止画または音声データ等の各種コンテンツを、メモリーカードコネクタ１０からデータバスＳ６を介して読み出すことが可能である。またＣＰＵ５は、メモリーカード１１に対して、任意のデータをデータバスＳ６を介して書き込むことが可能である。
【００２５】
ＵＳＢ機器１３は、たとえば不揮発メモリまたはＨＤＤ（Ｈａｒｄ  ｄｉｓｋ  ｄｒｉｖｅ）等を搭載したストレージ機能において構成されている。ＵＳＢ機器１３は、ＵＳＢコネクタ１２に接続され、データバスＳ７を介してＣＰＵ５からのデータの読み出し、およびＣＰＵ５へのデータの書き込みが可能である。
【００２６】
ＣＰＵ５から液晶パネル７に出力される画像情報Ｓ１１は、トリミング処理回路８にも出力される。トリミング処理回路８では、この画像情報Ｓ１１の中から、任意の画像エリアに対するトリミング処理を行う。当該トリミング処理は、ＣＰＵ５から出力される制御信号Ｓ８の情報に応じて行われる。
【００２７】
たとえば、画像情報Ｓ１１の解像度が横１９２０ドット×縦１０８０ドットのアスペクト比１６：９の画像である場合、制御信号Ｓ８は、画像情報Ｓ１１の任意の画素位置をＤとすると、Ｄ＝（Ｘ、Ｙ）（Ｘ、Ｙは０〜１９２０の自然数）で表される。この場合、画像情報Ｓ１１では、画面最左下の画素位置Ｄ１＝（０、０）、画面最左上の画素位置Ｄ２＝（０、１０８０）、画面最右下の画素位置Ｄ３＝（１９２０、１０８０）、画面最右上の画素位置Ｄ４＝（１９２０、０）と表される。制御情報Ｓ８は、これらＤ１、Ｄ２、Ｄ３およびＤ４の情報から構成され、これら４つの座標情報から画面上の任意のエリアを特定することができる。
【００２８】
トリミング処理回路８では、画像情報Ｓ１１から、制御情報Ｓ８によって指定されるエリアの画像情報が抽出され、画像データＳ９として画像圧縮処理回路９に出力される。
【００２９】
画像圧縮処理回路９は、画像データＳ９に対してあらかじめ定められた圧縮方法を用いてデータ圧縮処理を行い、圧縮情報Ｓ１０としてＣＰＵ５に出力する。ＣＰＵ５は、圧縮情報Ｓ１０を画像情報Ｓ１１として一旦メモリ６に書きこんだ後、再度メモリ６より画像情報Ｓ１２として読み出す。そしてＣＰＵ５は、当該画像情報Ｓ１２をデータ信号Ｓ２として無線送受信回路４に出力する。無線送受信回路４に入力されたデータ信号Ｓ２は、無線送受信回路４において音声信号から電波信号Ｓ１に変調される。そして電波信号Ｓ１は、アンテナ３を介してモニター２０に送信される。
【００３０】
タッチパネル１８は、携帯端末２におけるヒューマンインターフェースを司るデバイスであり、液晶パネル７の表面に貼り付けられている。
【００３１】
タッチパネル１８は、液晶パネル７に表示されたアイコンまたは文字入力画面等において、携帯端末２の各種機能を動作させるためのアプリの機能、表示画面の選択機能、および、ソフトウェアキーボードからの文字入力等を表示する機能等を実現することができる。
【００３２】
またタッチパネル１８は、使用者が接触しているタッチパネル１８上の指の位置を、タッチパネルの横方向の座標をＸ、縦方向の座標をＹとしたＸＹ座標データとして抽出することができる。例えば、あるタッチパネル１８の解像度が横２７０ポイント×縦４８０ポイントである場合、タッチパネル１８上の任意の位置ＸＹ＝（０、０）〜（２６９、４７９）の任意の一点として表すことができる。この機能を使うと、例えばタッチパネル１８上で丸く囲まれた領域のみをＸＹ座標データで指定することができるので、画面上に表示されている画像の一部分を丸く囲って、その部分だけ画像データとして取り出す、いわゆるトリミング処理も可能である。当然、タッチパネル１８において選択されたすべての領域についてのＸＹ座標データを検出することもできることから、タッチパネル１８において選択された領域の中心位置の画素におけるＸＹ座標データも検出できる。
【００３３】
内蔵バッテリ２０１は携帯端末２の電力供給源であり、通常繰り返し充放電可能な充電池が使用される。充電回路２０２は、内蔵バッテリ２０１の蓄電容量値Ｓ２０１を受けて充電電流Ｓ５０１を出力する。また、充電回路２０２は充電器２００から電力を供給され、内蔵バッテリ２０１の充電用電源として使用される。ＣＰＵ５は、充電回路２０２と接続されており、内蔵バッテリ２０１の充電容量および充電開始のタイミング等の情報を信号Ｓ２０３として検知する。
【００３４】
次に、モニター２０の内部構成について説明する。
【００３５】
アンテナ２１では、アンテナ３から出力された電波が受信され無線信号Ｓ２１に変換される。そして無線信号Ｓ２１は、無線受信回路２２に出力される。
【００３６】
無線受信回路２２では、アンテナ３から送信された電波をデータ信号に変換する処理を行った後、そのデータ信号Ｓ２２がＣＰＵ２３に出力される。ＣＰＵ２３では、データ信号Ｓ２２を一旦メモリ２４に書き込んだ後、このデータ信号Ｓ２２をＣＰＵ２３の処理タイミングに応じてメモリ２４から読み出す。そしてＣＰＵ２３は、当該データ信号が携帯端末２におけるアンテナ３から送信されたデータであるか否かを判別処理する。
【００３７】
データ信号Ｓ２２がアンテナ３から送信されたデータである場合、ＣＰＵ２３は、データ信号Ｓ２３として画像伸張処理回路２５に出力する。画像伸張処理回路２５では、画像圧縮処理回路９において圧縮処理されたデータを元のデータに伸張するための伸張処理が行われ、処理されたデータが画像伸張データＳ２４としてＣＰＵ２３に出力される。
【００３８】
画像伸張データＳ２４は、ＣＰＵ２３においてメモリ２４の特定アドレス、例えばアドレスＡ〜アドレスＢ（Ａ、Ｂは０以上の自然数で、Ａ＜Ｂ）に一旦書き込まれる。
【００３９】
パソコン３４は、モニター２０における映像入力端子３２にパソコン画像信号Ｓ２７を出力し、モニター２０における音声入力端子３３にパソコン音声信号Ｓ２８を出力する。またＨＤＤレコーダ３５は、モニター２０における映像入力端子３２にＨＤＤレコーダ画像信号Ｓ２９を出力し、モニター２０における音声入力端子３３にＨＤＤレコーダ音声信号Ｓ２９を出力する。
【００４０】
映像入力端子３２には、パソコン３４およびＨＤＤレコーダ３５からの画像信号が入力されており、音声入力端子３３には、パソコン３４およびＨＤＤレコーダ３５からの音声信号が入力されている。
【００４１】
ＣＰＵ２３から出力される映像切替信号Ｓ３７および音声切替信号Ｓ３６は、２つの入力信号のうち一つを選択できるようなデジタル信号である。映像切替信号Ｓ３７＝１の場合、映像入力端子３２からの出力信号Ｓ３１としては、パソコン３４からのパソコン画像信号Ｓ２７が出力される。一方で、映像切替信号Ｓ３７＝０の場合、映像入力端子３２からの出力信号Ｓ３１としては、ＨＤＤレコーダ３５からのＨＤＤレコーダ画像信号Ｓ２９が出力される。
【００４２】
同様に、音声切替信号Ｓ３６＝１の場合、音声入力端子３３からの出力信号Ｓ３２としては、パソコン３４からのパソコン音声信号Ｓ２９が出力される。一方で、音声切替信号Ｓ３６＝０の場合、音声入力端子３３からの出力信号Ｓ３２としては、ＨＤＤレコーダ３５からのＨＤＤレコーダ音声信号Ｓ３０が出力される。
【００４３】
映像切替信号Ｓ３７および音声切替信号Ｓ３６はＣＰＵ２３によって出力されるが、たとえばモニターの電源がＯＮにされた直後は、映像切替信号Ｓ３７＝音声切替信号Ｓ３６＝１となって、パソコン３４からのパソコン画像信号Ｓ２７およびパソコン音声信号Ｓ２９が、映像入力端子３２および音声入力端子３３からそれぞれ出力される。
【００４４】
またこの後、押しボタンスイッチ３６のうちのＩＮＰＵＴスイッチ３７を一回ＯＮ／ＯＦＦ切り替えすることによってＩＮＰＵＴスイッチ３７から固定値のデジタル信号Ｓ３５がＣＰＵ２３に入力されると、映像切替信号Ｓ３７＝音声切替信号Ｓ３６＝０に設定される。よって、ＨＤＤレコーダ３５からのＨＤＤレコーダレコーダ画像信号Ｓ２９およびＨＤＤレコーダ音声信号Ｓ３０が、映像入力端子３２および音声入力端子３３からそれぞれ出力される。
【００４５】
画像重畳回路２９には、映像入力端子３２からの出力信号Ｓ３１と、ＣＰＵ２３からの出力信号Ｓ２５とが入力される。ＣＰＵ２３からの出力信号Ｓ２５は、メモリ２４のアドレスＡ〜アドレスＢまでに書き込まれた画像データと、押しボタンスイッチ３６（受付部）によって設定された液晶パネル３１における画面上の特定の位置情報とで構成される。画像重畳回路２９は、出力信号Ｓ３１と出力信号Ｓ２５との重畳処理を行う。
【００４６】
なお、押しボタンスイッチ３６は図１に示すように、例えば５つの押しボタンから構成されており、一般的にはＰＣ用モニター等では多用されているタッチパネル、またはＯｎ  Ｓｃｒｅｅｎ  Ｄｉｓｐｌａｙ（以後ＯＳＤと称す）上の各種設定項目に対して、この５つの押しボタンスイッチ３６を用いて設定することができる。ＯＳＤの設定は、例えば表示されている設定項目を選択設定する、または、数値入力が必要な場合は、ＯＳＤに表示されている初期値をアップダウンさせて設定する、あるいはソフトウェアキーボード等のように、ＯＳＤに数値またはアルファベット等を表示して、カーソルを移動させて選択するような方法で文字入力および数値入力が可能である。
【００４７】
画像重畳回路２９では、出力信号Ｓ３１の画像上の、出力信号Ｓ２５の位置情報によって指定された任意の箇所に、出力信号Ｓ２５の画像情報を重畳する。画像重畳処理を終えた画像信号Ｓ４１は、画像重畳回路２９からスケーラ回路３０に出力され、スケーラ回路３０において、液晶パネル３１に正しく表示できるような画像サイズに拡大あるいは縮小処理される。その後、画像信号Ｓ４２としてスケーラ回路３０から液晶パネル３１に出力され、画像表示される。
【００４８】
なお、アドレスＡ〜アドレスＢまでに画像データが書き込まれていない場合は、ＣＰＵ２３は、出力信号Ｓ２５の位置情報を無効データに設定する。無効データの例としては、例えば液晶パネル３１の最大表示画素数が縦１０８０ライン×横１９２０画素の場合、画面上の任意の画素位置を縦横情報としてＸＹ情報で表した場合、ＸＹ＝（０、０）〜（１０７９、１９１９）の範囲で表現できるので、ＸＹ＝（２０４７、２０４７）といった、表示位置としては無効となるようなデータを用いる。出力信号Ｓ２５の位置情報が無効データの場合、画像重畳回路２９では、出力信号Ｓ２５と出力信号Ｓ３１との重畳処理を行わず、出力信号Ｓ３１からのデータを画像信号Ｓ４１としてそのままスケーラ回路３０に出力する。
【００４９】
音声重畳回路２６には、音声入力端子３３からの出力信号Ｓ３２と、ＣＰＵ２３から出力信号Ｓ２６とが入力される。ＣＰＵ２３は、メモリ２４のアドレスＣ〜アドレスＤ（Ｃ、Ｄは０以上の自然数で、Ｃ＜Ｄ、かつ、アドレスＣおよびアドレスＤはアドレスＡおよびアドレスＢとは異なるアドレス値）までにあらかじめ数種類のインフォメーション情報が表示されたことを示す音声信号を、あらかじめ生成して記録しておく。ＣＰＵ２３の出力信号Ｓ２６が有効である場合、ＣＰＵ２３は、あらかじめ押しボタンスイッチ３６によって設定していた音声情報を、メモリ２４のアドレスＣ〜アドレスＤまでの間の特定アドレスから読み出す。そして、出力信号Ｓ２６として音声重畳回路２６に出力する。
【００５０】
音声重畳回路２６は、出力信号Ｓ３２（音声）と出力信号Ｓ２６（音声）との重畳処理を行う。なお、ＣＰＵ２３は、出力信号Ｓ２５（画像）が無効信号の場合は、出力信号Ｓ２６（音声）も無効であることを示すように、例えば出力信号Ｓ２６（音声）の出力信号をＡｌｌ“０”データ（無音データ）として重畳処理を行う。
【００５１】
音声重畳回路２６からの出力信号Ｓ２７は、音声再生回路２７において音量増幅される。その後、音声信号Ｓ２８はスピーカーＬ２８に、音声信号Ｓ２９はスピーカーＲ４０にそれぞれ出力され、それぞれのスピーカーから音声が再生される。
【００５２】
図１では、携帯端末２とモニター２０との間のデータ伝送の仕組みを説明したが、さらに具体的な動作を説明する。
【００５３】
まず、携帯端末２として、例えばスマートホンを例に挙げる。図２は、スマートホンを縦表示で通常起動した場合の表示画面の一例である。図２において、インフォメーション情報６０と、アプリを起動できるアイコン６１とが示されている。また図３は、スマートホンを横表示させた場合の表示画像の一例である。図３において、図２と同一番号は同一機能を実現するものとする。
【００５４】
図２において、携帯端末２は、一般的なスマートホンを示し、本体の液晶画面上にはタッチパネル１８が設置されており、タッチパネル１８上からアイコン６１をクリックすると、あらかじめ定められたアプリケーションが起動する。また携帯端末２の画面最上部には通常、インフォメーション情報６０が表示される。
【００５５】
図４は、このインフォメーション情報６０で表示されている各アイコンの詳細情報を説明するための図である。図４においては、携帯端末２のバッテリ残量表示を示すアイコン６２と、天気予報情報を示すアイコン６４と、携帯端末２で受信している基地局からの電波強度を示すアイコン６７とが示されている。通常、携帯端末２はこのような基本情報のみが表示されていることが多い。
【００５６】
図５は、携帯端末２に様々な情報が受信された場合に、携帯端末２のインフォメーション情報６０に表示される情報の一例を示した図である。携帯端末２では常時メール機能が動作しているが、アイコン６３は、携帯端末２の使用者宛にメールが受信されたことを示すアイコンである。またアイコン６５は、例えば携帯端末２の回線契約を行っている電話会社が提供する交通情報で、あらかじめ携帯端末２を使用する使用者が電話会社との契約で特定の鉄道会社の遅延情報または事故情報等が受信されたことを示すアイコンである。同様にアイコン６６は、電話会社からの各種お知らせ情報が受信されたことを示すアイコンである。
【００５７】
このように、携帯端末２は、各種情報を受信すると、使用者に情報の着信を知らせるために、インフォメーション情報６０においてアイコン表示したり、スピーカーＬ２８およびスピーカーＲ４０を用いて例えば各情報別に異なった音声を再生したりすることにより、使用者に着信情報の内容を伝えることができる。
【００５８】
ここで、携帯端末２において、インフォメーション情報６０のうち、少なくとも１つの情報が変更になった場合における、携帯端末２内部の処理過程とモニター２０内部での処理過程とを、図６および図７のフローチャートを参照しつつ説明する。
【００５９】
図６に示されるように、ステップＳ１００においては、ＣＰＵ５が、液晶パネル７（第１表示画面）にインフォメーション情報６０が表示されているか否かを判別する。インフォメーション情報６０が表示されていない場合（ＮＯ）は表示されるまで監視を続ける（すなわち、ステップＳ１００を繰り返す）が、インフォメーション情報６０が表示されている場合（ＹＥＳ）は、ステップＳ１０１に進む。
【００６０】
ステップＳ１０１においては、ＣＰＵ５が、携帯端末２の液晶パネル７に表示されるインフォメーション情報６０の表示範囲を設定する。この設定には、例えば、タッチパネル１８においてインフォメーション情報６０のエリアを指で囲むように触れると、その表示範囲や、表示範囲の中心画像のＸＹ座標位置が特定可能であり、それ以外の方法としては、ソフトウェアキーボード（図示せず）により、タッチパネル１８において表示範囲の四隅のＸＹ座標を入力する等の方法でインフォメーション情報６０のエリアが設定可能である。
【００６１】
ステップＳ１０２においては、ステップＳ１０１において得られたインフォメーション情報６０の表示エリア情報を用いて、液晶パネル７に表示されている画像からインフォメーション情報６０の画像データを抽出する。当該抽出動作は、トリミング処理回路８（抽出部）において行われる。
【００６２】
ステップＳ１０３においては、画像圧縮処理回路９で、これからモニター２０に送信する画像データのデータ圧縮が行われる。
【００６３】
ステップＳ１０４においては、ＣＰＵ５によって、圧縮データとインフォメーション情報６０の表示エリアの座標位置情報とがメモリ６に書き込まれる。
【００６４】
ここでＣＰＵ５は、携帯端末２の動作状態をすべて制御するため、携帯端末２に新たなインフォメーション情報６０が発生したことを検知することができる。例えば、一定時間前のインフォメーション情報を記憶しておき、記憶しておいた一定時間前のインフォメーション情報と、現在表示されているインフォメーション情報とを比較することによって、新たなインフォメーション情報の発生を検知することができる。
【００６５】
ステップＳ１０５においては、ＣＰＵ５が、インフォメーション情報６０の中の情報が更新された情報（新たに取得された情報）であるか否かを検知する処理を行う。
【００６６】
ステップＳ１０６においては、携帯端末２に新しいインフォメーション情報６０の着信があった場合（取得されていた場合）にはステップＳ１０７に進む。携帯端末２に新しいインフォメーション情報６０の着信がなかった場合にはステップＳ１０５に戻る。
【００６７】
なお、あらかじめインフォメーション情報６０の種別を指定しておき、当該指定したインフォメーション情報６０（指定情報）が新たに取得された場合のみを、「新たなインフォメーション情報６０が取得された場合」とすることも可能である。
【００６８】
ステップＳ１０７においては、メモリ６からインフォメーション情報６０が読み出される。読み出される当該インフォメーション情報６０は、液晶パネル７に表示される画像からトリミング処理回路８によって抽出された、新たに取得された情報に関連する部分的な画像（部分画像）に相当する。
【００６９】
そしてステップＳ１０８において、読み出されたインフォメーション情報６０は無線送受信回路４において変調処理され、データ信号から電波信号に変換される。そしてステップＳ１０９において、アンテナ３からモニター２０へ電波が出力される。ここで、無線送受信回路４およびアンテナ３をまとめて、送信部とすることができる。
【００７０】
次にモニター２０側における、インフォメーション情報６０の着信処理および表示処理について説明する。図７は、携帯端末２から送信されたインフォメーション情報６０に対する、ＣＰＵ２３（出力部）の処理過程を説明するフローチャートである。
【００７１】
ステップＳ１１３においては、ＣＰＵ２３は、携帯端末２から受信したデータをメモリ２４から読み出し、画像伸張処理回路２５に当該データを出力する。そして画像伸張処理回路２５において、当該データが画像伸張処理される。処理後のデータは、再びＣＰＵ２３に出力される。
【００７２】
ステップＳ１１４においては、ＣＰＵ２３が、伸張処理されたデータが携帯端末２から送られたインフォメーション情報６０か否かを判定する。伸張処理されたデータが携帯端末２から送られたインフォメーション情報６０である場合（ＹＥＳ）は、ステップＳ１１５へ進み、伸張処理されたデータが携帯端末２から送られたインフォメーション情報６０でない場合（ＮＯ）には、ステップＳ１１３に戻る。
【００７３】
ステップＳ１１５においては、ＣＰＵ２３が、インフォメーション情報６０の表示画像データから表示画像の面積を算出する。そして、ステップＳ１１７へ進む。
【００７４】
一方でステップＳ１１６では、受信したインフォメーション情報６０を液晶パネル３１（第２表示画面）に表示する際のモニター２０上の表示位置について、あらかじめ使用者によって設定される。具体的には、押しボタンスイッチ３６を用いて、例えばインフォメーション情報６０の表示位置を画面における上下左右（左上、左下、右上、右下）４箇所のうちのどこにするかが設定される。
【００７５】
ステップＳ１１７においては、ステップＳ１１６で設定された表示位置に、インフォメーション情報６０が正しく表示できるように、ＣＰＵ２３が、インフォメーション情報６０の表示面積の値を算出する。
【００７６】
ステップＳ１１８においては、ＣＰＵ２３は、メモリ２４からインフォメーション情報６０を読み出す。
【００７７】
ステップＳ１１９においては、ＣＰＵ２３は、ステップＳ１１７において算出したインフォメーション情報６０の表示面積の値と、インフォメーション情報６０の表示位置情報とを、出力信号Ｓ２５として画像重畳回路２９に出力する。
【００７８】
画像重畳回路２９では、映像入力端子３２からの出力画像Ｓ３１（携帯端末２から送信される情報とは独立した独立画像）に、ＣＰＵ２３からのインフォメーション情報６０の面積情報と表示位置情報（出力信号Ｓ２５）から作成されたインフォメーション情報６０とが重畳され、画像信号Ｓ４１が生成される。そして画像信号Ｓ４１はスケーラ回路３０に出力される。
【００７９】
スケーラ回路３０では、画像信号Ｓ４１の情報が極力欠落することのないように、液晶パネル３１の表示エリアに合わせて画像の拡大および縮小処理が行われる。このような処理によって、液晶パネル３１には、パソコン３４またはＨＤＤレコーダ３５の表示画像上に、インフォメーション情報６０が表示される。
【００８０】
実際の液晶パネル３１に表示される画像は、例えば図８のようになる。図８はパソコン３４からの出力画像上に、モニター２０が受信した携帯端末２からのインフォメーション情報６０を表示した場合の一例である。
【００８１】
図８におけるパソコン３４には、通常のパソコン３４のＯＳがもつＷｉｎｄｏｗ情報（各種のアイコン７３またはブラウザ７４等）が表示されており、パソコン３４の使用者はモニター２０上においてこれらの画像を操作する。このようなパソコン３４の一般的な作業中において、モニター２０が携帯端末２よりインフォメーション情報６０を受信した場合、図８の画面右下にインフォメーション情報７０が表示される。
【００８２】
なお、図８のインフォメーション情報７０では、携帯端末２から受信されたインフォメーション情報６０をそのまま液晶パネル３１に表示した場合を説明したが、例えばインフォメーション情報６０のうち、電話の着信状態のみを表示する場合（あらかじめ指定された指定情報に相当）を図９に示す。通常、携帯端末２の使用者がリアルタイムに知りたい情報としては、電話またはメール等の着信情報である。
【００８３】
図９は、パソコン３４の画像上に、携帯端末２の電話着信があったことを示すインフォメーション情報６０が表示された場合の、液晶パネル３１に表示される画像の一例を示す図である。
【００８４】
例えば携帯端末２に電話着信が発生した場合は、モニター２０に電話のアイコン７１のみを表示させることにより、携帯端末２に電話着信があることを携帯端末２を保有するモニター使用者に気づかせることができる。
【００８５】
同様に図１０は、インフォメーション情報６０の個別の表示例である。図１０においては、メールの着信を示すアイコン７５、地震情報、津波情報および緊急避難情報を示すアイコン７６、交通機関遅延情報を示すアイコン７７、さらには、携帯端末２の電池残量表示を示すアイコン７８等の各種情報に対応するアイコンが例示されている。それぞれのアイコンが、モニター２０の使用者に情報の内容を明確に理解させる表示となっている。
【００８６】
なお、図６および図７におけるインフォメーション情報６０の表示では携帯端末２の液晶パネル７に表示されるアイコン画像をそのまま用いていたが、ＣＰＵ５において、インフォメーション情報６０の個別の着信状況を把握している場合は、例えば各インフォメーション情報（部分画像）別に固有のＩＤ情報を設定して、携帯端末２からモニター２０へのデータ転送をＩＤ情報のみとする方法も考えられる。
【００８７】
図１１は、携帯端末２がインフォメーション情報を受信した場合の、携帯端末２側における他の処理過程を示すフローチャートである。
【００８８】
ステップＳ１２１においては、ＣＰＵ５は、携帯端末２に各イベント（例えば、電話、メール、交通情報その他携帯端末２へ配信される情報）が発生しているかを検出する。携帯端末２でイベントが発生している場合（ＹＥＳ）は、ステップＳ１２２へ進み、それぞれのイベント別に固有のＩＤ情報を割り当てる。携帯端末２でイベントが発生していない場合（ＮＯ）は、ステップＳ１２１に戻る。
【００８９】
ステップＳ１２２においては、例えば、電話着信時＝０１、メール着信時＝０２および交通情報受信時＝０３等のように、各イベントに固有の数値が割り当てられる。
【００９０】
ステップＳ１２３においては、ステップＳ１２２において割り当てられたＩＤ情報が無線送受信回路４に出力される。そして、無線送受信回路４において変調処理が行われた後、変調された電波信号Ｓ１がアンテナ３に出力される。さらに、電波としてモニター２０に送信される。
【００９１】
図１２は、図１１に示された携帯端末２の処理過程を経て出力された電波を、モニター２０側で受信する場合の処理過程を示すフローチャートである。
【００９２】
ステップＳ１３０においては、あらかじめ携帯端末２で発生する各種イベント情報に対応するアイコンの画像情報が、メモリ２４に書き込まれる。
【００９３】
ステップＳ１３１においては、メモリ２４に書き込まれた、携帯端末２から送られてきた圧縮データを読み出して、伸張処理を行う。
【００９４】
ステップＳ１３２においては、伸張処理されたデータが、携帯端末２から送られてきたイベント別の固有のＩＤ情報であるか否かが判別される。伸張処理されたデータが、携帯端末２から送られてきたイベント別の固有のＩＤ情報でない場合（ＮＯ）はステップＳ１３１に戻り、携帯端末２から送信される情報を引き続き検出する。
【００９５】
伸張処理されたデータが、携帯端末２から送られてきたイベント別の固有のＩＤ情報である場合（ＹＥＳ）は、ステップＳ１３３において、モニター２０において受信できたイベント別の固有のＩＤ情報の内容が判別される。
【００９６】
ステップＳ１３４においては、ＩＤ情報に対応したメモリアドレスが生成される。そしてステップＳ１３６へ進む。
【００９７】
ステップＳ１３６においては、ステップＳ１３４におけるメモリアドレスを用いて、ＩＤ情報に対応したアイコン情報をメモリ２４から読み出す。
【００９８】
一方でステップＳ１３５では、アイコン情報を液晶パネル３１に表示させる場合の表示位置について、あらかじめモニター使用者によって決定される。当該決定は、押しボタンスイッチ３６を用いて行われる。
【００９９】
ステップＳ１３７においては、ステップＳ１３６から読み出されたアイコン情報と、ステップＳ１３５において決定された表示位置の情報とが画像重畳回路２９に出力される。そして、パソコン３４あるいはＨＤＤレコーダ３５の出力画像Ｓ３１とアイコン情報とが重畳され、画像信号Ｓ４１としてスケーラ回路３０に出力される。
【０１００】
スケーラ回路３０においては、画面全体サイズが調整された後、画像信号Ｓ４２に基づく画像が液晶パネル３１に表示される。この画像には、携帯端末２に発生したイベント情報に対応したアイコンが表示される。
【０１０１】
＜効果＞
本実施形態によれば、情報出力システムが、画像を表示可能な第１表示画面としての液晶パネル７を有する携帯端末２と、携帯端末２と通信可能な情報出力装置としてのモニター２０とを備える。
【０１０２】
携帯端末２は、あらかじめ指定された指定情報が新たに取得された場合に、液晶パネル７における指定情報の新たな取得に関連する部分画像を抽出する抽出部としてのトリミング処理回路８と、部分画像に関するデータを、モニター２０に送信する送信部（無線送受信回路４およびアンテナ３）とを備える。
【０１０３】
モニター２０は、受信した部分画像に関するデータに基づいて、部分画像に関する情報を出力させる出力部としてのＣＰＵ２３を備える。
【０１０４】
このように、本実施形態に関する情報出力システムは、携帯端末２とモニター２０とが物理的に離れた位置に設置されても、電波の届く範囲に両者が設置されていれば、動作可能である。具体的には、携帯端末２で発生した各種情報のうち携帯端末２の表示画面に表示される情報であれば、パソコン３４での作業を行っている最中、または、ＨＤＤレコーダ３５内に記憶されているテレビ番組を視聴している最中であっても、離れた場所においてリアルタイムで上記各種情報を認知することができる。
【０１０５】
また、このように構成された情報出力システムにおいては、携帯端末２に表示される情報のうち、携帯端末２の使用者が最も知りたい、例えば、電話着信の情報またはメール受信の情報等のみを携帯端末画面上に表示させることができる。よって、携帯端末２からのデータ伝送量は、携帯端末の表示画面に表示される情報すべてを送信する場合に比べて少ないデータ量の送信で済むので、データ伝送に用いる無線送受信機能の消費電力を抑えることができる。また、携帯端末２におけるパケット通信契約が従量制の場合は、必要最小限のパケット伝送で済むことから、携帯端末使用料も安価に抑えられる。
【０１０６】
また、わずかなエリアのアイコン表示による画像情報のみを、データ圧縮してモニターに送信するため、携帯端末２からのデータ伝送量を抑えることができる。
【０１０７】
また、伝送されるデータ量が少なくなるため、携帯端末２において電話着信またはメール着信等のイベントが発生してから、モニターにアイコンが表示されるまでの処理時間が短くなる。よって、携帯端末２で緊急性の高い情報、例えば地震情報または津波情報等が発生した場合にも、瞬時に携帯端末保有者に情報を伝えることができる。
【０１０８】
また、携帯端末に表示されているインフォメーション情報のみを携帯端末の液晶画面から切り出して（抽出して）、さらにこの切り出した画像を圧縮してモニターに伝送することから、単位時間当たりの携帯端末からモニターへの伝送データ量を大幅に削減することができる。
【０１０９】
また、携帯端末に表示されているインフォメーション情報を切り出す（抽出する）方法として、タッチパネルにおいてインフォメーション情報エリアを選択する方法を用いていることから、携帯端末毎に表示エリアが異なるようなインフォメーション情報でも、簡単にその表示エリアを選択することができる。さらに、単位時間当たりの携帯端末からモニターへの伝送データ量を大幅に削減しつつ、必要最小限の情報を簡単操作において、モニターに表示することができる。
【０１１０】
また、携帯端末に表示されているインフォメーション情報のみを携帯端末の液晶画面から切り出して（抽出して）、さらにこの切り出した画像をモニターに表示する際に、モニター使用者が画面上の見やすい任意の位置を指定してインフォメーション情報のみを表示できるため、単位時間当たりの携帯端末からモニターへの伝送データ量を大幅に削減するともに、モニターにおいて他の作業に影響を与えることなく、携帯端末のインフォメーション情報を確認することができる。
【０１１１】
また、携帯端末に表示されているインフォメーション情報のみを携帯端末の液晶画面から切り出して（抽出して）、さらにこの切り出した画像をモニターに表示する際に、モニター使用者が画面上の見やすい任意の位置を押しボタンスイッチにおいて指定することによりインフォメーション情報のみを表示できるので、単位時間当たりの携帯端末からモニターへの伝送データ量を大幅に削減しつつ、モニターにおいて他の作業に影響を与えることなく、携帯端末のインフォメーション情報を確認することができる。
【０１１２】
＜第２実施形態＞
第１実施形態においては、携帯端末２におけるイベント情報をモニター２０に表示することにより、当該イベント情報を携帯端末保有者に伝える方法について示されたが、イベント情報は音声を用いて携帯端末保有者に伝えることもできる。
【０１１３】
図１においては、携帯端末２からモニター２０に送られてくるＩＤ情報に応じて、液晶パネル３１に表示するアイコンの画像を変化させ、イベント情報の内容をモニターの使用者に認識させていた。これに対し、このアイコン画像を固有の音声情報に割り当てることにより、スピーカーＬ２８およびスピーカーＲ４０から再生される音声によって、イベント情報の詳細をモニターの使用者に認識させることができる。以下、音声情報を用いたイベント情報の再生方法の詳細を説明する。
【０１１４】
図１３は、携帯端末２で作成されたＩＤ情報において行われる処理のうち、音声再生処理に関するフローチャートである。図１２における動作と同一の処理については同一の項番を記載し、詳細の説明を省略する。
【０１１５】
図１３において、ステップＳ１４０では、ステップＳ１２２において作成されたＩＤ情報に対応する音声データがメモリ２４に書き込まれる。ここでＩＤ情報と音声データとの対応としては、例えば、電話着信時：ＩＤ＝０１の場合に音声データ＝“電話が着信しました”、メール着信時：ＩＤ＝０２の場合に音声データ＝“メールを受信しました”、交通情報受信時：ＩＤ＝０３の場合に音声データ＝“地下鉄Ａ線は車両故障のため、遅れが発生しています”といったようにＩＤ情報と音声データとを対応させ、さらに、メモリ２４の特定のアドレスにそれぞれのＩＤ情報に対応した音声情報を書き込む。なお、メモリ２４に書き込むアドレスは、書き込むデータの種類（画像データおよび音声データのいずれか）、またはＩＤ情報によって一意に決定するようなアドレスを設定する。
【０１１６】
このようにアドレスを設定することによって、ステップＳ１３０においてメモリ２４に書き込んだアイコン情報と、ステップＳ１４０においてメモリ２４に書き込んだ音声データとは同一メモリ上の別アドレスに記録することができるので、メモリ２４にはアイコン情報と音声データとの両者が書き込まれる。
【０１１７】
ステップＳ１３１においては、携帯端末２から送られたデータをメモリ２４から読み出して、データ伸張処理を行う。
【０１１８】
ステップＳ１３２においては、伸張処理されたデータが、携帯端末２から送信されたＩＤ情報か否かが判別される。伸張処理されたデータが、携帯端末２から送られてきたＩＤ情報でない場合（ＮＯ）はステップＳ１３１に戻り、携帯端末２から送信される情報を引き続き検出する。
【０１１９】
伸張処理されたデータが、携帯端末２から送られてきたＩＤ情報である場合（ＹＥＳ）は、ステップＳ１４３において、このＩＤ情報の内容が判別される。具体的には、電話着信時＝０１、メール着信時＝０２および交通情報受信時＝０３といった固有の値を示すことを利用して、音声データの書かれたメモリ２４の読み出しアドレスを生成する。
【０１２０】
ステップＳ１４４においては、ステップＳ１４３で生成したメモリアドレスを用いてメモリ２４から音声データを読み出す。そして、ステップＳ１４５においては、読み出した音声データを出力信号Ｓ２６として音声重畳回路２６に出力する。
【０１２１】
この結果、音声重畳回路２６では、パソコン３４もしくはＨＤＤレコーダ３５の音声出力Ｓ３２（携帯端末２から送信される情報とは独立した独立音声）と出力信号Ｓ２６（ＩＤ情報に対応させてあらかじめ用意された音声情報）とが重畳処理される。そしてその出力信号Ｓ２７が音声再生回路２７に入力される。出力信号Ｓ２７は、スピーカーＬ２８およびスピーカーＲ４０において、音声として再生できるように増幅された音声信号Ｓ２８および音声信号Ｓ２９として出力され、音声が再生される。
【０１２２】
＜効果＞
本実施形態によれば、出力部としてのＣＰＵ２３が、部分画像に対応させてあらかじめ用意された音声情報を出力させる。
【０１２３】
また、本実施形態によれば、情報出力装置としてのモニター２０が、携帯端末２とは独立した独立音声を出力可能な装置であって、ＣＰＵ２３が、音声重畳回路２６において音声情報を独立音声に重畳させ、さらにスピーカーＬ２８およびスピーカーＲ４０から当該音声を出力させる。
【０１２４】
このように、本実施形態に関する情報出力システムは、携帯端末２とモニター２０とが物理的に離れた位置に設置されても、電波の届く範囲に両者が設置されていれば、動作可能である。具体的には、携帯端末２で発生した各種情報のうち携帯端末２において受信可能な情報であれば、パソコン３４での作業を行っている最中、または、ＨＤＤレコーダ３５内に記憶されているテレビ番組を視聴している最中であっても、離れた場所においてリアルタイムで、情報の内容が音声によって認知することができる。よって、液晶パネル３１を見ていない場合でも大切な情報を逃すことがない。
【０１２５】
＜第３実施形態＞
図１４は、情報出力システム１Ａにおける、携帯端末２および充電器２００の動作の詳細を示す図である。図１４において、情報出力システム１Ａは携帯端末２、充電器２００、コンセント３０２およびモニター２０を備えている。
【０１２６】
図１４においては、携帯端末２における内蔵バッテリ２０１を充電するための、充電器２００を介した充電動作の仕組みを記載している。
【０１２７】
充電器２００は、コンセント３０２よりＡＣ電力が供給され、例えば電磁誘導を使った充電が可能で、携帯端末２が電磁誘導を使った充電に対応している場合は、充電器２００の上に携帯端末２を乗せることにより、携帯端末２側の内蔵バッテリ２０１に充電が開始される。なお、このような電磁誘導を用いた充電方式の場合、充電動作開始前に、あらかじめ充電器２００と内蔵バッテリ２０１の間で、充電に必要な電力、充電時の供給電流、内蔵バッテリ２０１の充電量、または、充電開始に関する情報等をやり取りする必要がある。
【０１２８】
ここで、携帯端末２が充電器２００に置かれ、充電が開始された場合の情報出力システム１Ａの動作について説明する。第１実施形態および第２実施形態においては、携帯端末２が受信したインフォメーション情報６０をモニターに表示させる手段について説明したが、例えば、携帯端末２が充電器２００の上に置かれた場合には、携帯端末２の内蔵バッテリ２０１に充電が開始されることから、例えば携帯端末２におけるＣＰＵ５上の信号処理が増大することにより、消費電力が増大しても、充電中であれば携帯端末２は安定して動作する。
【０１２９】
よって、携帯端末２の液晶パネル７に表示される画像情報のすべて（画像全体のデータ）をモニター２０に伝送することにより、携帯端末２で得られる情報（画像情報、またはそれに対応する音声情報）の多くをモニター２０側で視聴することができる。
【０１３０】
充電回路２０２および充電器２００が電磁誘導で電力を供給する非接触給電方式に対応している場合、内蔵バッテリ２０１への充電制御は充電器２００と充電回路２０２とにおいて行われる。図１４に示されるように、充電器２００の上に携帯端末２が置かれた場合、充電器２００は、充電回路２０２に充電対象となる充電バッテリの有無について問い合わせを行う。
【０１３１】
充電回路２０２は問い合わせに対して、内蔵バッテリ２０１を搭載していることを応答する。具体的には、内蔵バッテリ２０１の充電容量または充電電流値等の、充電に必要な情報を出力信号Ｓ２０５として充電器２００に送る。
【０１３２】
充電器２００は、この出力信号Ｓ２０５に基づいて充電電流値を決定し、電磁誘導Ｓ２０６によって充電回路２０２に電力を供給する。充電回路２０２は、内蔵バッテリ２０１の充電状態を充電状態、例えば充電完了容量、または内蔵バッテリ２０１本体の温度等を常に蓄電容量値Ｓ２０１として充電回路２０２に出力する。また充電回路２０２は、内蔵バッテリ２０１に対して充電電流Ｓ２０７を供給する。
【０１３３】
充電回路２０２は、上述のように充電器２００と内蔵バッテリ２０１との間で充電処理を仲介するが、内蔵バッテリ２０１の充電完了容量、および、充電開始を示す充電情報等を信号Ｓ２０３としてＣＰＵ５に出力する。ＣＰＵ５は、内蔵バッテリ２０１が充電開始されたことを認識すると、トリミング処理回路８に対して、トリミングを行わずにＣＰＵ５からの画像出力Ｓ１１をそのまま画像データＳ９として画像圧縮処理回路９に出力する。
【０１３４】
以後、第１実施形態と同様の処理を行い、携帯端末２はモニター２０に対し、圧縮処理されたキャプチャ画像を電波として出力する。
【０１３５】
モニター２０では、第１実施形態と同様の処理を行うことにより、携帯端末２から送られてきたキャプチャ画像を、液晶パネル３１上に、モニター使用者が指定した任意の位置に表示することができる。
【０１３６】
なお、携帯端末２が充電器２００の上から移動された場合は、内蔵バッテリ２０１への電力供給は停止するとともに、充電回路２０２はＣＰＵ５に対して、充電が中断したことを示す情報を信号Ｓ２０３として送信する。
【０１３７】
これを受けてＣＰＵ５は、それまで行っていたキャプチャ画像のモニター２０への伝送を停止する。モニター２０側においては、無線受信回路２２からのデータ信号Ｓ２２が停止することから、ＣＰＵ２３は、メモリ２４に受信情報がないことを示す固有の無効データを書き込む。
【０１３８】
以後、ＣＰＵ２３からこの無効データが読み出された場合は、ＣＰＵ２３からの出力データＳ２５のうちの位置情報を、画像重畳回路２９において重畳処理を行わないことを示す無効データに変更して画像重畳回路２９に出力する。
【０１３９】
以後、画像重畳回路２９では、映像入力端子からの出力信号Ｓ３１をそのまま画像信号Ｓ４１としてスケーラ回路３０に出力することから、液晶パネル３１の表示画像は、パソコン３４もしくはＨＤＤレコーダ３５からの出力画像のみ表示される。
【０１４０】
なお、上記の実施形態では、充電器として電磁誘導を用いた充電方法を持つ場合を記載したが、例えば図１５に示されるような充電方法であってもよい。
【０１４１】
図１５は、携帯端末２と充電器２００が充電端子２０４において電気的に接続される場合の充電方法を示す図である。図１５に示されるように、携帯端末２に充電端子２０４が設けられていて、携帯端末２を充電器２００に乗せることにより、充電器２００は充電端子２０４に充電電流の供給を開始するような構成であっても、電磁誘導において充電する場合と同様の効果が得られる。
【０１４２】
＜効果＞
本実施形態によれば、携帯端末２が、内蔵バッテリ２０１を備える。そして情報出力システム１Ａが、内蔵バッテリ２０１を充電する充電器２００を備える。
【０１４３】
充電器２００を用いて内蔵バッテリ２０１が充電されている場合、携帯端末２における送信部（アンテナ３および無線送受信回路４）が、第１表示画面としての液晶パネル７における画像全体に関するデータを、情報出力装置としてのモニター２０に送信する。
【０１４４】
そして、充電器２００を用いて内蔵バッテリ２０１が充電されている場合、出力部としてのＣＰＵ２３が、受信した液晶パネル７における画像全体に関するデータに基づいて、画像全体に関する情報を出力させる。
【０１４５】
このように、本実施形態に関する情報出力システムは、携帯端末２とモニター２０が物理的に離れた位置に設置されても、無線ＬＡＮ等の電波の届く範囲に両者が設置されていれば、動作可能である。具体的には、携帯端末２で発生した各種情報のうち携帯端末２の表示画面に表示される情報であれば、パソコン３４での作業を行っている最中、または、ＨＤＤレコーダ３５内に記憶されているテレビ番組を視聴している最中であっても、携帯端末２の充電動作が開始されることにより自動的にモニター２０側へ携帯端末の画像を表示することができるため、携帯端末２の液晶パネル７に表示される情報をすべてモニター２０側の液晶パネルでリアルタイム確認することができる。
【０１４６】
また、このように構成された情報出力システムにおいては、携帯端末２における電力消費を充電器２００から電力供給しながらＣＰＵ５の処理が可能となることから、携帯端末保有者（モニター使用者）はバッテリ残量を気にすることなく、携帯端末２の液晶パネル７の画像をモニター２０側の液晶パネル３１で視聴することができる。
【０１４７】
また、携帯端末が充電器と接続された場合のみ、携帯端末の液晶パネルに表示された画像全体をモニターに伝送することから、携帯端末の内蔵バッテリの電力を消費することなく、さらには内蔵バッテリを充電しながらモニターにおいて携帯端末の画像を視聴することができる。
【０１４８】
また、携帯端末が充電器と接続された場合のみ、携帯端末の液晶パネルに表示された画像全体を圧縮してからモニターに伝送することから、携帯端末からモニターへのデータ伝送量を最小限に抑えることができる。また、携帯端末の内蔵バッテリの電力を消費することなく、内蔵バッテリを充電しながら、モニターにおいて携帯端末の画像を視聴することができる。
【０１４９】
上記実施形態では、各構成要素の材質、材料、実施の条件等についても記載しているが、これらは例示であって記載したものに限られるものではない。
【０１５０】
なお本発明は、その発明の範囲内において、各実施形態の自由な組み合わせ、あるいは各実施形態の任意の構成要素の変形、もしくは各実施形態において任意の構成要素の省略が可能である。
【符号の説明】
【０１５１】
１，１Ａ  情報出力システム、２  携帯端末、３，２１  アンテナ、４  無線送受信回路、５，２３  ＣＰＵ、６，２４  メモリ、７，３１  液晶パネル、８  トリミング処理回路、９  画像圧縮処理回路、１０  メモリーカードコネクタ、１１  メモリーカード、１２  コネクタ、１３  ＵＳＢ機器、１４  スピーカー、１５  マイク、１８  タッチパネル、２０  モニター、２２  無線受信回路、２５  画像伸張処理回路、２６  音声重畳回路、２７  音声再生回路、２８  スピーカーＬ、２９  画像重畳回路、３０  スケーラ回路、３２  映像入力端子、３３  音声入力端子、３４  パソコン、３５  レコーダ、３６  押しボタンスイッチ、３７  ＩＮＰＵＴスイッチ、４０  スピーカーＲ、６０，７０  インフォメーション情報、６１〜６７，７１，７３，７５〜７８  アイコン、７４  ブラウザ、２００  充電器、２０１  内蔵バッテリ、２０２  充電回路、２０４  充電端子、３０２  コンセント。
【図１】
2014230054.tif 000003
【図２】
2014230054.tif 000004
【図３】
2014230054.tif 000005
【図４】
2014230054.tif 000006
【図５】
2014230054.tif 000007
【図６】
2014230054.tif 000008
【図７】
2014230054.tif 000009
【図８】
2014230054.tif 000010
【図９】
2014230054.tif 000011
【図１０】
2014230054.tif 000012
【図１１】
2014230054.tif 000013
【図１２】
2014230054.tif 000014
【図１３】
2014230054.tif 000015
【図１４】
2014230054.tif 000016
【図１５】
2014230054.tif 000017